(57)【特許請求の範囲】
【請求項１】
下部ケースに平坦板を立設し、前記平坦板の一方の側面に羽根車を駆動するモータを前記平坦板の他方の側面から螺入したねじにより固定すると共に、前記平坦板の一方の側面に前記平坦板とにより前記羽根車を収納するケーシングと発熱体を収納し温風を吐出口に導く温風ダクトとを形成する側板を前記平坦板の他方の側面から螺入したねじにより固定したことを特徴とする温風乾燥装置。
【請求項２】
前記平坦板の他方の側面に端子台をねじ止めしたことを特徴とする請求項１記載の温風乾燥装置。
【請求項３】
前記下部ケースに回路基板を立設し、前記下部ケースを覆う上部ケースにより前記回路基板を挟持したことを特徴とする請求項１又は請求項２記載の温風乾燥装置。
【請求項４】
前記回路基板は前記回路基板上の回路部品を前記温風ダクトと前記下部ケースとの間に配置して立設したことを特徴とする請求項３記載の温風乾燥装置。
【請求項５】
前記平坦板は、前記下部ケースに防振機構を介して取り付けたことを特徴とする請求項１ないし請求項４記載の温風乾燥装置。
【発明の詳細な説明】
【０００１】
【発明の属する技術分野】
本発明は、使用者の手に温風を供給して、濡れた手の乾燥を行う温風乾燥装置に関する。
【０００２】
【従来の技術】
従来より、濡れた手の乾燥を行う温風乾燥装置として種々のものが知られており、例えば、特開平２−８３４８５号公報にあるように、本体ケースに取付板を取り付け、その取付板上にダクトを設けている。このダクトの上部にはモータと送風ファンとからなるファン・モータ部が設けられ、ダクトの下部にはヒータ部が設けられていた。
【０００３】
そして、モータにより送風ファンが駆動されると共に、ヒータ部が駆動されると、ヒータ部を通過する際に空気が加熱され、温風吹出口から温風が吹き出されるように構成されていた。
【０００４】
【発明が解決しようとする課題】
しかしながら、こうした従来のものでは、本体ケース上に取付板を取り付け、この取付板上に更にダクトを取り付けている。また、ダクトの下部にはヒータ部を取り付けていたので、その組立が複雑であるという問題があった。
【０００５】
本発明の課題は、組立が容易な温風乾燥装置を提供することにある。
【０００６】
【課題を解決するための手段】
かかる課題を達成すべく、本発明は課題を解決するため次の手段を取った。即ち、
下部ケースに平坦板を立設し、前記平坦板の一方の側面に羽根車を駆動するモータを前記平坦板の他方の側面から螺入したねじにより固定すると共に、前記平坦板の一方の側面に前記平坦板とにより前記羽根車を収納するケーシングと発熱体を収納し温風を吐出口に導く温風ダクトとを形成する側板を前記平坦板の他方の側面から螺入したねじにより固定したことを特徴とする温風乾燥装置がそれである。
【０００７】
また、前記平坦板の他方の側面に端子台をねじ止めしてもよく、あるいは、前記下部ケースに回路基板を立設し、前記下部ケースを覆う上部ケースにより前記回路基板を挟持してもよい。更に、前記回路基板は前記回路基板上の回路部品を前記温風ダクトと前記下部ケースとの間に配置して立設してもよく、前記平坦板は、前記下部ケースに防振機構を介して取り付けてもよい。
【０００８】
【発明の実施の形態】
以下本発明の実施の形態を図面に基づいて詳細に説明する。
図１に示すように、１は下部ケースで、下部ケース１は壁面や柱等に取り付けられる垂直壁２と垂直壁２の下側に設けられた水平壁４とを備えている。下部ケース１には、水平壁４を内部に収納し、垂直壁２のほぼ全体を覆い内部に所定の空間を形成する上部ケース６が取り付けられている。
【０００９】
上部ケース６の下面には、垂直壁２側に複数のスリットからなる吸入口８が下方に向かって開口形成されている。水平壁４には、吸入口８に対応して貫通孔９が形成されて、外部と上部ケース６内とが吸入口８、貫通孔９を介して連通されている。
【００１０】
また、水平壁４の先端下側には、下方に向かって開口された吐出口１４が形成されたノズルケース１０が取り付けられており、ノズルケース１０は吸入口８と並んで上部ケース６に形成された開口１２から、上部ケース６の外部に突き出されている。本実施例では、下部ケース１、上部ケース６、ノズルケース１０によりケース１５が形成されている。
【００１１】
水平壁４には発光器１６と受光器１８とが取り付けられており、発光器１６は下方に向かって上部ケース６に形成された開口２０を通して光を照射し、受光器１８は、この反射光を下方に向かってノズルケース１０に形成された開口２２を通して受光して信号を出力するように構成されている。
【００１２】
垂直壁２には、平坦板２８が立設されており、平坦板２８の一方の側面にはモータ３４が平坦板２８の他方の側面から螺入されたねじ３５（図２参照）により軸方向が平坦板２８に直交するように固定されている。モータ３４の回転軸には、羽根車３２が片持ち支持された状態で取り付けられており、羽根車３２は、本実施例では、ほぼ筒状に形成され、かつ、羽根車３２の中空内部にモータ３４が挿入されている。
【００１３】
羽根車３２は円形ケーシング２６に収納されており、円形ケーシング２６は後述する発熱体９２を収納した温風ダクト２４と一体に形成されている。温風ダクト２４と円形ケーシング２６とは、平坦板２８と平坦板２８の一方の側面に設けられ断面がほぼ「コ」字状に形成された側板３０とから形成されている。
【００１４】
側板３０は平坦板２８の他方の側面から螺入されたねじ３１（図３，４参照）により固定されている。平坦板２８と側板３０とには、羽根車３２と同軸上にそれぞれ吸込み口３６，３８が形成されており、この吸込み口３６，３８からモータ３４の両端が外部に突き出されている。組立に際しては、平坦板２８にモータ３４をねじ３５で固定し、側板３０をねじ３１で固定するので、同じ方向からねじ３１，３５を螺入することができ、組立作業が容易である。
【００１５】
温風ダクト２４は、略垂直に配置されて吐出口１４に接続されると共に、円形ケーシング２６の約半分の幅に形成されており、しかも、温風ダクト２４は上部ケース６寄りの円形ケーシング２６の片側から接線方向に接続されている。これにより、垂直壁２と温風ダクト２４との間に通路空間２７が形成され、通路空間２７は貫通孔９を介して吸入口８に連通している。
【００１６】
一方、前記平坦板２８には、前後脚部４０，４２が形成されており、吸入口８側の前脚部４０は、図４に示すように、垂直壁２と平行に折曲げれられると共に、垂直壁２と平行な取付板４４が取り付けられている。取付板４４の両端にはゴムブッシュ４６，４８が取り付けられており、ゴムブッシュ４６，４８はねじ５０，５２、ワッシャ５４，５６により垂直壁２に取り付けられている。
【００１７】
後脚部４２は、図１に示すように、垂直壁２と平行に折曲げられると共に、ゴムブッシュ５８が取り付けられている。そして、ゴムブッシュ５８は、垂直壁２に螺着されたねじ６０により固定されたワッシャ６２とゴムブッシュ５８との間にコイルばね６４が介装されて、ゴムブッシュ５８を垂直壁２に押し付けている。尚、本実施例では、ゴムブッシュ４６，４８，５８、コイルばね６４により防振機構６５が構成されている。垂直壁２に立設した平坦板２８の前後脚部４０，４２に防振機構６５を設ければ、容易に防振構造を採ることができる。
【００１８】
上部ケース６の側面には、図３、図５に示すように、矩形の開口６６が形成されており、この開口６６には芳香剤ケース６８が装着されている。芳香剤ケース６８は、上部ケース６と垂直壁２とにそれぞれ挿入された突部７０，７２により、垂直壁２に直交する軸の廻りに揺動可能に支持されている。
【００１９】
芳香剤ケース６８には、収納室７４が形成されており、収納室７４は羽根車３２側に投入口７６が形成されると共に、側面に形成された貫通孔７８により収納室７４と上部ケース６内とが連通されている。そして、開口６６を芳香剤ケース６８により閉塞し芳香剤ケース６８が上部ケース６内に収納された状態から、芳香剤ケース６８を揺動させると、芳香剤ケース６８が上部ケース６から突き出て、投入口７６が上部ケース６の外部に開かれ、収納室７４に芳香剤を充填させることができるようにされている。
【００２０】
垂直壁２には、温風ダクト２４に沿って回路基板８０が下部ケース２に立設されており、図３に示すように、回路基板８０は下部ケース２と上部ケース６とにより挟持されて支持されている。回路基板８０上には、図６に示すように、制御回路８２が形成されており、制御回路８２には、発光器１６、受光器１８が接続されている。
【００２１】
また、回路基板８０上には、制御回路８２に接続された整流器８４、チョークコイル８６が配置されており、整流器８４、チョークコイル８６は、平坦板２８の他方の側面にねじ８７により取り付けられた端子台８８を介してモータ３４に接続されている。ねじ８７は、モータ３４や側板３０のねじ３１，３４と同じ側から螺入できるので、組立作業が容易である。
【００２２】
回路基板８０上には、更に、モータ３４と並列に接続されたコンデンサ９０が配置されており、回路基板８０は、これらの整流器８４、チョークコイル８６、コンデンサ９０等の回路部品が温風ダクト２４の内側に、即ち、本実施例では、温風ダクト２４と垂直壁２との間の通路空間２７に挿入されるように回路基板８０が立設されている。本実施例では、コンデンサ９０の容量は比較的大きく、４００〜５００μＦ程度あるので、その外形も大きい。
【００２３】
制御回路８２は、更に、温風ダクト２４内に設けられた発熱体９２と温度ヒューズ９４、サーモスイッチ９６、端子台８８を介して接続されており、また、図示しない電源と端子台８８、コード９８を介して接続されている。コード９８には、垂直壁２に設けられた脱落検出スイッチ１００が介装されており、脱落検出スイッチ１００は垂直壁２を貫通して裏側に触子１０２が突出されており、垂直壁２が図示しない壁面に取り付けられているときには、壁面に押されて内部に引き込まれ、垂直壁２が何等かの原因で壁面から外れたときには回路を遮断するように構成されている。
【００２４】
次に、前述した本実施例の温風乾燥装置の作動について説明する。
垂直壁２が図示しない壁面に吸入口８、吐出口１４を下向きにして取り付けられる。これにより、脱落検出スイッチ１００が閉じられ、図示しない電源スイッチが投入されると、発光器１６が下方に向かって光を照射する。
【００２５】
使用者の手が吐出口１４の下に差入れられると、手で反射された光が受光器１８により検出されて、制御回路８２により制御されて、発熱体９２が発熱すると共に、モータ３４が回転駆動される。モータ３４の駆動が開始される際には、コンデンサ９０により、モータ３４の図示しないブラシのスパークが抑制されて、ブラシの寿命の改善が図られる。
【００２６】
モータ３４により羽根車３２が回転されて、吸入口８、貫通孔９、温風ダクト２４と垂直壁２との間の通路空間２７、吸込み口３６，３８を介して外部の空気が吸入される。そして、温風ダクト２４を通り、その間に発熱体９２により加熱されて、吐出口１４から下方に向かって温風が吹出され、図示しない使用者の濡れた手の乾燥が行われる。また、収納室７４に収納された芳香剤が揮発し、投入口７６、貫通孔７８から上部ケース６内に流れ出て、外部から吸入された空気に混じり合って、吐出口１４から放出される。
【００２７】
一方、モータ３４の回転による振動により、平坦板２８も振動するが、平坦板２８は前脚部４０がゴムブッシュ４６，４８により、後脚部４２がゴムブッシュ５８、コイルばね６４により振動が減衰される。よって、垂直壁２への振動の伝達が減衰され、振動に基づく騒音の発生等を抑制できる。使用者の手が吐出口１４から遠ざけられると、反射光が受光器１８により検出されなくなり、発熱体９２の加熱、モータ３４の駆動が停止される。
【００２８】
前述したように、本実施例の温風乾燥装置は、平坦板２８にモータ３４をねじ３５で固定し、側板３０をねじ３１で固定するので、同じ方向からねじ３１，３４を螺入することができ、組立作業が容易である。また、端子台８８を固定するねじ８７も、同じ側から螺入できるので、組立作業が容易である。
【００２９】
更に、回路基板８０を下部ケース２と上部ケース６とにより挟持することにより、ねじ等を用いなくても回路基板を固定でき、組立作業が容易となる。コンデンサ９０等の回路部品を温風ダクトの内側に配置することにより、装置を小型化できる。平坦板２８を垂直壁２に立設した構成とすることにより、防振機構６５を設けることが容易となる。
【００３０】
以上本発明はこの様な実施例に何等限定されるものではなく、本発明の要旨を逸脱しない範囲において種々なる態様で実施し得る。
【００３１】
【発明の効果】
以上詳述したように本発明の温風乾燥装置は、平坦板にモータをねじで固定し、側板をねじで固定するので、同じ方向からねじを螺入することができ、組立作業が容易である。また、端子台を固定するねじも、同じ側から螺入できるので、組立作業が容易である。
【００３２】
更に、回路基板を下部ケースと上部ケースとにより挟持することにより、ねじ等を用いなくても回路基板を固定でき、組立作業が容易となり、回路部品を温風ダクトの内側に配置することにより、装置を小型化できる。しかも、平坦板を垂直壁に立設した構成とすることにより、防振機構を設けることが容易となる。
【図面の簡単な説明】
【図１】本発明の一実施例としての温風乾燥装置の断面図である。
【図２】図１のＡＡ断面図である。
【図３】図２のＢＢ断面図である。
【図４】図２のＣＣ断面図である。
【図５】本実施例の芳香剤ケースの断面図である。
【図６】本実施例の温風乾燥装置の電気回路図である。
【符号の説明】
１…下部ケース        ６…上部ケース
１５…ケース          ２４…温風ダクト
２６…円形ケーシング  ２８…平坦板
３０…側板            ３２…羽根車
３４…モータ          ６５…防振機構
８０…回路基板        ９０…コンデンサ
９２…発熱体
【図１】
0003679841.tif 000002
【図２】
0003679841.tif 000003
【図３】
0003679841.tif 000004
【図４】
0003679841.tif 000005
【図５】
0003679841.tif 000006
【図６】
0003679841.tif 000007